(57)【要約】  電子装置、放送サービス提供システム及びその動作方法に係り、該電子装置は、通信部と、１以上のインストラクションを保存するメモリと、メモリに保存された１以上のインストラクションを実行するプロセッサと、を含み、該プロセッサは、１以上のインストラクションを実行することにより、電子装置の位置を識別することができる情報を、ネットワークを介して、放送サービス管理サーバに伝送したことに応答し、放送サービス管理サーバから電子装置が利用可能な１以上の放送事業者に係わる識別情報を受信し、それを含むユーザインターフェースを表示し、ユーザインターフェースを介して、１以上の放送事業者に係わる識別情報から１つの放送事業者を選択したユーザ入力に応答し、選択された放送事業者サーバに接続し、放送事業者サーバから限定受信システムソフトウェアを受信して保存する。
2019537881.tif 000002
【特許請求の範囲】
【請求項１】
電子装置において、
通信部と、
１以上のインストラクションを保存するメモリと、
前記メモリに保存された前記１以上のインストラクションを実行するプロセッサと、を含み、
前記プロセッサは、前記１以上のインストラクションを実行することにより、
前記電子装置の位置を識別することができる情報を、ネットワークを介して、放送サービス管理サーバに伝送したことに応答し、前記放送サービス管理サーバから、前記電子装置が利用可能な１以上の放送事業者に係わる識別情報を受信し、
前記受信した１以上の放送事業者に係わる識別情報を含むユーザインターフェースを表示し、前記ユーザインターフェースを介して、前記１以上の放送事業者に係わる識別情報から１つの放送事業者を選択したユーザ入力を受信し、
前記受信されたユーザ入力に応答し、前記選択された放送事業者サーバに接続し、前記放送事業者サーバから限定受信システムソフトウェアを受信して保存する電子装置。
【請求項２】
前記プロセッサは、前記１以上のインストラクションを実行することにより、
前記ユーザ入力によって選択された前記放送事業者サーバに接続し、
前記放送事業者サーバから、１以上のコンテンツ提供政策を受信したことに応答し、前記受信された１以上のコンテンツ提供政策を含むユーザインターフェースを表示し、
前記ユーザインターフェースを介して、前記１以上のコンテンツ提供政策のうちから選択された１つのコンテンツ提供政策を、前記放送事業者サーバに伝送し、
前記放送事業者サーバから、前記選択されたコンテンツ提供政策に対応する前記限定受信システムソフトウェアを受信して保存することを特徴とする請求項１に記載の電子装置。
【請求項３】
前記プロセッサは、前記１以上のインストラクションを実行することにより、
さらに１つの放送事業者を選択するユーザ入力を受信し、
前記受信されたユーザ入力に応答し、前記選択されたさらに１つの放送事業者サーバに接続し、前記さらに１つの放送事業者サーバから、さらに１つの限定受信システムソフトウェアを受信して保存することを特徴とする請求項１に記載の電子装置。
【請求項４】
前記プロセッサは、前記１以上のインストラクションを実行することにより、
前記さらに１つの限定受信システムソフトウェアを保存するとき、既保存の限定受信システムソフトウェアを除去することを特徴とする請求項３に記載の電子装置。
【請求項５】
前記プロセッサは、前記１以上のインストラクションを実行することにより、
前記さらに１つの限定受信システムソフトウェアを保存するとき、既保存の限定受信システムソフトウェアの除去なしに、共に保存することを特徴とする請求項３に記載の電子装置。
【請求項６】
前記プロセッサは、前記１以上のインストラクションを実行することにより、
ユーザの放送事業者選択により、前記保存された限定受信システムソフトウェアと、前記さらに１つの限定受信システムソフトウェアとのうち一つをイネーブルさせて使用することを特徴とする請求項５に記載の電子装置。
【請求項７】
放送サービスを提供するシステムにおいて、
クライアント装置の位置に対応し、前記クライアント装置が利用可能な１以上の放送事業者に係わる識別情報を、前記クライアント装置に提供し、前記１以上の放送事業者のうち１つの放送事業者を選択するユーザ入力に対応し、前記選択された放送事業者に係わる情報を、前記クライアント装置に提供する放送サービス管理サーバと、
前記サーバ装置から受信した放送事業者情報を利用して放送事業者サーバに要請し、前記放送事業者サーバから限定受信システムソフトウェアを受信して保存するクライアント装置と、
前記クライアント装置の要請により、前記クライアント装置に前記限定受信システムソフトウェアを提供する１以上の放送事業者サーバと、を含むシステム。
【請求項８】
電子装置の動作方法において、
前記電子装置の位置を識別することができる情報を、ネットワークを介して、放送サービス管理サーバに伝送したことに応答し、前記放送サービス管理サーバから、前記電子装置が利用可能な１以上の放送事業者に係わる識別情報を受信する動作と、
前記受信した１以上の放送事業者に係わる識別情報を含むユーザインターフェースを表示し、前記ユーザインターフェースを介して、前記１以上の放送事業者に係わる識別情報から１つの放送事業者を選択したユーザ入力を受信する動作と、
前記受信されたユーザ入力に応答し、前記選択された放送事業者サーバに接続し、前記放送事業者サーバから限定受信システムソフトウェアを受信して保存する動作と、を含む電子装置の動作方法。
【請求項９】
前記ユーザ入力によって選択された前記放送事業者サーバに接続する動作と、
前記放送事業者サーバから、１以上のコンテンツ提供政策を受信したことに応答し、前記受信された１以上のコンテンツ提供政策を含むユーザインターフェースを表示する動作と、
前記ユーザインターフェースを介して、前記１以上のコンテンツ提供政策のうちから選択された１つのコンテンツ提供政策を、前記放送事業者サーバに伝送する動作と、
前記放送事業者サーバから、前記選択されたコンテンツ提供政策に対応する前記限定受信システムソフトウェアを受信して保存する動作と、をさらに含むことを特徴とする請求項８に記載の電子装置の動作方法。
【請求項１０】
さらに１つの放送事業者を選択するユーザ入力を受信する動作と、
前記受信されたユーザ入力に応答し、前記選択されたさらに１つの放送事業者サーバに接続する動作と、
前記さらに１つの放送事業者サーバから、さらに１つの限定受信システムソフトウェアを受信して保存する動作と、を含むことを特徴とする請求項８に記載の電子装置の動作方法。
【請求項１１】
前記さらに１つの限定受信システムソフトウェアを保存するとき、既保存の限定受信システムソフトウェアを除去する動作をさらに含むことを特徴とする請求項１０に記載の電子装置の動作方法。
【請求項１２】
前記さらに１つの限定受信システムソフトウェアを保存するとき、既保存の限定受信システムソフトウェアの除去なしに、共に保存する動作をさらに含むことを特徴とする請求項１０に記載の電子装置の動作方法。
【請求項１３】
ユーザの放送事業者選択により、前記保存された限定受信システムソフトウェアと、前記さらに１つの限定受信システムソフトウェアとのうち一つをイネーブルさせて使用する動作をさらに含むことを特徴とする請求項１２に記載の電子装置の動作方法。
【請求項１４】
請求項８ないし１３のうちいずれか１項に記載の電子装置の動作方法を実行するコンピュータプログラムが記録されたコンピュータ可読記録媒体。
【発明の詳細な説明】
【技術分野】
【０００１】
本発明は、ダウンロード可能な限定受信システムを利用して放送サービスを提供する電子装置、放送サービス提供システム及び動作方法に関する。
【背景技術】
【０００２】
ＩＰＴＶ（internet  protocol  television）サービスは、放送、通信及びデータサービスを、１つのサービスシステムで構成して提供するＴＰＳ（triple  play  service）の代表サービスであると言える。特に、ＩＰＴＶサービスは、既存のカスタムメイドコンテンツサービスだけではなく、リアルタイム放送サービスを、インターネット環境で、共に提供することができるという長所のため、多様なコンテンツ消費階層の欲求を満足させることができると予想される。しかし、コンテンツサービス提供者（service  provider）が、高品質のコンテンツサービスを安定して供給するためには、加入者に、コンテンツ使用料金を賦課し、その使用を制御することができるシステムが必要である。正当な使用権限を有したユーザだけが有料コンテンツを利用することができるように、コンテンツは、暗号化された状態で伝送し、当該コンテンツに対する使用権限を有した加入者だけがコンテンツを復号した後、それを利用することができるようにする技術が一般的に適用されている。デジタル衛星放送のような単方向コンテンツサービスにおいては、限定受信システムを使用して有料コンテンツを保護し、ユーザのコンテンツ使用を制御する。また、カスタムメイドサービスのような双方向コンテンツサービスにおいては、コンテンツの保護及び使用制御のために、権限管理システム（ＤＲＭ：digital  right  management：ＤＲＭ）を利用する。
【０００３】
限定受信システム（ＣＡＳ：conditional  access  system）は、ケーブル放送のようなプログラムを提供することができるシステムにおいて、別途のケーブル放送に加入していない加入者に、プログラムを提供しない統制システムを意味する。ＣＡＳは、加入者管理システムと連動し、多様なプログラムをパッケージで提供したり、ＶＯＤ（video  on  demand）サービスまたはＰＰＶ（pay  per  view）サービスのように、加入者別に趣向に合うプログラムを提供することができる。
【０００４】
一般的にＣＡＳは、セットトップボックス内のケーブルカードと連動して動作する。しかし、事業者別に製造されるセットトップボックス別に、ＣＡＳが異なって適用され、特定ＣＡＳのみを支援するケーブルカードの従属性に対する問題点があり、運用中であるＣＡＳに対する変更が困難であると言う問題点がある。
【０００５】
そのような問題点を解決するために、ダウンロード可能な限定受信システム（ＤＣＳＡ：downloadable  conditional  access  system）が提案されている。ＤＣＡＳは、ソフトウェアで構成されたＣＡＳがセットトップボックスにすぐダウンロードされ、有料サービスを提供することができる受信認証技術である。ＤＣＡＳの場合、ケーブル事業者が、セットトップボックスに保存されるＣＡＳを自由にアップデートすることができるという長所がある。
【発明の概要】
【発明が解決しようとする課題】
【０００６】
本発明が解決しようとする課題は、ダウンロード可能な限定受信システムを利用し、放送サービスをさらに効果的に提供することができる放送サービス提供システムが要求される。
【課題を解決するための手段】
【０００７】
多様な実施形態は、ダウンロード可能な限定受信システムの利用時、放送サービスを効果的に提供することができるようにするための電子装置、放送サービス提供システム、及び動作方法を提供する。
【発明の効果】
【０００８】
一実施形態により、放送サービス管理サーバが、多様な放送事業者のサーバへの接続を連結させることにより、ユーザは、便利に、複数の放送事業者に対応する限定受信システムソフトウェアをダウンロードすることができる。
【０００９】
一実施形態により、放送サービス管理サーバが、多様な放送事業者が提供するコンテンツを連結、ユーザは便利に複数の放送事業者で提供するコンテンツを利用することができる。
【図面の簡単な説明】
【００１０】
【図１】一実施形態による放送サービス提供システムの概念について説明するための参照図である。
【図２】一実施形態による放送サービス管理サーバのブロック図である。
【図３】一実施形態による、クライアントの一例であるクライアント装置を示す。
【図４】一実施形態による、クライアントの一例であるクライアント装置１００ｂを示す。
【図５】一実施形態による、放送サービス提供システムでの動作の一例について説明するフローチャートである。
【図６】一実施形態により、放送サービス管理サーバへの接続のためのユーザインターフェースの一例を示す。
【図７】一実施形態により、放送事業者選択のためのユーザインターフェースの一例を示す。
【図８】一実施形態により、放送サービス提供システムでの動作の他例について説明するフローチャートである。
【図９】一実施形態により、コンテンツ政策選択のためのユーザインターフェースの一例を示す。
【図１０】一実施形態により、放送サービス提供システムでの動作のさらに他の例について説明するフローチャートである。
【図１１】一実施形態により、複数の放送事業者選択のためのユーザインターフェースの一例である。
【図１２】一実施形態により、放送サービス管理サーバで遂行される課金処理動作の一例を示す。
【図１３】一実施形態により、放送事業者選択のためのユーザインターフェースの一例を示す。
【図１４】一実施形態により、放送事業者のコンテンツリストの一例を示す。
【図１５】一実施形態により、放送サービス利用に係わる課金情報の一例を示す。
【図１６】一実施形態により、放送サービス管理サーバで遂行される課金処理動作の他例を示す。
【図１７】一実施形態により、広告視聴を考慮した課金情報の一例を示す。
【図１８】一実施形態により、クライアントにおいて、複数の放送事業者を管理させるユーザインターフェースの一例を示す。
【発明を実施するための形態】
【００１１】
一実施形態による電子装置は、通信部と、１以上のインストラクションを保存するメモリと、前記メモリに保存された前記１以上のインストラクションを実行するプロセッサと、を含み、前記プロセッサは、前記１以上のインストラクションを実行することにより、前記電子装置の位置を識別することができる情報を、ネットワークを介して、放送サービス管理サーバに伝送したことに応答し、前記放送サービス管理サーバから、前記電子装置が利用可能な１以上の放送事業者に係わる識別情報を受信し、前記受信した１以上の放送事業者に係わる識別情報を含むユーザインターフェースを表示し、前記ユーザインターフェースを介して、前記１以上の放送事業者に係わる識別情報から１つの放送事業者を選択したユーザ入力を受信し、前記受信されたユーザ入力に応答し、前記選択された放送事業者サーバに接続し、前記放送事業者サーバから限定受信システムソフトウェアを受信して保存する。
【００１２】
一実施形態により、前記プロセッサは、前記ユーザ入力によって選択された前記放送事業者サーバに接続し、前記放送事業者サーバから、１以上のコンテンツ提供政策を受信したことに応答し、前記受信された１以上のコンテンツ提供政策を含むユーザインターフェースを表示し、前記ユーザインターフェースを介して、前記１以上のコンテンツ提供政策のうちから選択された１つのコンテンツ提供政策を、前記放送事業者サーバに伝送し、前記放送事業者サーバから、前記選択されたコンテンツ提供政策に対応する前記限定受信システムソフトウェアを受信して保存することができる。
【００１３】
一実施形態により、前記プロセッサは、さらに１つの放送事業者を選択するユーザ入力を受信し、前記受信されたユーザ入力に応答し、前記選択されたさらに１つの放送事業者サーバに接続し、前記さらに１つの放送事業者サーバから、さらに１つの限定受信システムソフトウェアを受信して保存することができる。
【００１４】
一実施形態により、前記プロセッサは、前記さらに１つの限定受信システムソフトウェアを保存するとき、既保存の限定受信システムソフトウェアを除去することができる。
【００１５】
一実施形態により、前記プロセッサは、前記さらに１つの限定受信システムソフトウェアを保存するとき、既保存の限定受信システムソフトウェアの除去なしに、共に保存することができる。
【００１６】
一実施形態により、前記プロセッサは、ユーザの放送事業者選択により、前記保存された限定受信システムソフトウェアと、前記さらに１つの限定受信システムソフトウェアとのうち一つをイネーブルさせて使用することができる。
【００１７】
一実施形態により、放送サービスを提供するシステムは、クライアント装置の位置に対応し、前記クライアント装置が利用可能な１以上の放送事業者に係わる識別情報を、前記クライアント装置に提供し、前記１以上の放送事業者のうち１つの放送事業者を選択するユーザ入力に対応し、前記選択された放送事業者に係わる情報を、前記クライアント装置に提供する放送サービス管理サーバと、前記サーバ装置から受信した放送事業者情報を利用して放送事業者サーバに要請し、前記放送事業者サーバから限定受信システムソフトウェアを受信して保存するクライアント装置と、前記クライアント装置の要請により、前記クライアント装置に前記限定受信システムソフトウェアを提供する１以上の放送事業者サーバを含む。
【００１８】
一実施形態により、電子装置の動作方法は、前記電子装置の位置を識別することができる情報を、ネットワークを介して、放送サービス管理サーバに伝送したことに応答し、前記放送サービス管理サーバから、前記電子装置が利用可能な１以上の放送事業者に係わる識別情報を受信する動作、前記受信した１以上の放送事業者に係わる識別情報を含むユーザインターフェースを表示し、前記ユーザインターフェースを介して、前記１以上の放送事業者に係わる識別情報から１つの放送事業者を選択したユーザ入力を受信する動作、及び前記受信されたユーザ入力に応答し、前記選択された放送事業者サーバに接続し、前記放送事業者サーバから限定受信システムソフトウェアを受信して保存する動作を含む。
【００１９】
本明細書で使用される用語について簡略に説明し、本発明について具体的に説明する。
【００２０】
本発明で使用される用語は、本発明での機能を考慮しながら、可能な限り、現在汎用される一般的な用語を選択したが、それらは、当分野の当業者の意図、判例、または新技術の出現などによっても異なる。また、特定の場合は、出願人が任意に選定した用語もあり、その場合、当該発明の説明部分において、詳細にその意味を記載する。従って、本発明で使用される用語は、単純な用語の名称ではない、その用語が有する意味と、本発明の全般にわたる内容とを基に定義されなければならない。
【００２１】
明細書全体において、ある部分がある構成要素を「含む」とするとき、それは、特別に反対になる記載がない限り、他の構成要素を除くものではなく、他の構成要素をさらに含んでもよいことを意味する。また、明細書に記載された「…部」、「モジュール」というような用語は、少なくとも１つの機能や動作を処理する単位を意味し、それは、ハードウェアまたはソフトウェアによって具現されるか、あるいはハードウェアとソフトウェアとの結合によっても具現される。
【００２２】
以下では、添付した図面を参照し、実施形態について、本発明が属する技術分野で当業者が容易に実施することができるように詳細に説明する。しかし、本発明は、さまざまに異なる形態にも具現され、ここで説明する実施形態に限定されるものではない。そして、図面で本発明について明確に説明するために、説明と関係ない部分は、省略し、明細書全体を通じて、類似した部分については、類似した図面符号を付した。
【００２３】
本明細書の実施形態において、「ユーザ」という用語は、制御装置を利用し、映像表示装置の機能または動作を制御する者を意味し、視聴者、管理者または設置技士を含んでもよい。
【００２４】
図１は、一実施形態による放送サービス提供システムの概念について説明するための参照図である。図１を参照すれば、放送サービス提供システムは、ネットワーク５０、クライアント１００、放送サービス管理サーバ２００、放送事業者サーバ３００を含んでもよい。
【００２５】
ネットワーク５０は、放送サービス管理サーバ２００とクライアント１００との通信、放送サービス管理サーバ２００と放送事業者サーバ３００との通信、クライアント１００と放送事業者サーバ３００との通信を可能にする１以上の通信網を示す。
【００２６】
クライアント１００は、放送事業者から送信される放送を受信して表示する電子装置であり、テレビ（ＴＶ）が代表的なものであるが、それ以外にも、通信が可能であり、受信された放送信号を表示することができる端末装置であるならば、いかなる装置でも可能である。
【００２７】
従来、クライアントは、内蔵された限定受信システムソフトウェアを利用するか、あるいは放送事業者サーバに直接接続し、放送事業者サーバから、限定受信システムソフトウェアをダウンロードし、放送サービスを利用したが、本実施形態によるクライアント１００は、複数の放送事業者サーバ３００からの放送サービス利用を管理する放送サービス管理サーバ２００に接続することにより、多様な放送事業者サーバからの放送サービスを容易に提供される。
【００２８】
クライアント１００は、ＴＶでもあるが、それは、一実施形態に過ぎず、ディスプレイを含む電子装置でも具現される。例えば、クライアント１００は、携帯電話、タブレットＰＣ（personal  computer）、デジタルカメラ、カムコーダ、ノート型パソコン（laptop  computer）、タブレットＰＣ、デスクトップ、電子書籍端末機、デジタル放送用端末機、ＰＤＡ（personal  digital  assistants）、ＰＭＰ（portable  multimedia  player）、ナビゲーション、ＭＰ３プレーヤ、着用型機器（wearable  device）のような多様な電子装置によっても具現される。特に、一実施形態は、ＴＶのように、ディスプレイが大型であるディスプレイ装置によっても容易に具現されるものであるが、それに限定されるものではない。また、クライアント１００は、固定型または移動型でもあり、デジタル放送受信が可能なデジタル放送受信機でもある。
【００２９】
放送サービス管理サーバ２００は、クライアント１００からの要請に応答し、クライアント１００が利用可能な１以上の放送事業者サーバの識別情報を、クライアント１００に提供し、またクライアント１００が、１以上の放送事業者サーバからの放送サービスを利用することによる課金サービスを総括的に管理することができる。
【００３０】
放送事業者サーバ３００は、１以上の放送事業者サーバを含んでもよい。各放送事業者サーバは、自体が維持する１以上の政策により、放送サービスを提供することができる。各放送事業者サーバは、それぞれ自体が運用する暗号化プロトコルによって放送コンテンツを暗号化して放送し、そのような特定の暗号化プロトコルを解読することができる限定受信システムソフトウェアを有したクライアントのみが、暗号化された放送コンテンツを解読して再生することができる。
【００３１】
図１に図示されているように、クライアント１００は、放送サービス管理サーバ２００に接続することを介して、放送事業者サーバから、限定受信システムソフトウェアを便利にダウンロードすることができる。また、放送サービス管理サーバ２００が、クライアント１００と、複数の放送事業者サーバとを連結することにより、クライアント１００は、１以上の放送事業者サーバから、限定受信システムソフトウェアをダウンロードすることができる。また、放送サービス管理サーバ２００は、複数の放送事業者サーバからの放送サービスに対する課金を統括する機能を提供することができるので、クライアント１００は、定められた期間内で、１つの放送事業者サーバからの放送サービスを提供されるだけではなく、複数の放送事業者サーバからの放送サービスを共に提供される。
【００３２】
図２は、一実施形態による放送サービス管理サーバのブロック図である。図２を参照すれば、放送サービス管理サーバ２００は、制御部２１０、メモリ２２０、通信部２３０を含む。
【００３３】
通信部２３０は、ネットワーク５０を介して、クライアント１００及び放送事業者サーバ３００との通信を行う。
【００３４】
メモリ２２０は、オペレーティングシステム、及び１以上のインストラクションを保存する。
【００３５】
制御部２１０は、１以上のプロセッサを具備し、サーバ２００内の構成要素を全般的に制御する。制御部２１０は、メモリ２２０に保存された１以上のインストラクションを遂行することにより、１以上の機能を遂行することができる。
【００３６】
一実施形態により、制御部２１０は、クライアント１００の要請により、クライアント１００が利用可能な１以上の放送事業者サーバに係わる識別情報を、クライアント１００に提供することができる。
【００３７】
一実施形態により、制御部２１０は、クライアント１００または放送事業者サーバ３００の要請により、クライアント１００を認証するためのキーを提供するか、あるいはクライアント１００の認証を行うことができる。
【００３８】
一実施形態により、制御部２１０は、クライアント１００から、放送サービス利用に係わる課金情報を収集し、収集された課金情報を、クライアント１００または放送事業者サーバ３００に提供することができる。
【００３９】
一実施形態により、放送サービス管理サーバ２００は、１以上の放送事業者サーバに係わる識別情報を保存する放送事業者識別情報データベース２４１、クライアント１００の認証のための情報を保存するユーザアカウントデータベース２４２、クライアント１００の課金情報を保存するユーザ課金情報データベース２４３を含むデータベース２４０を別途のサーバで運用するか、あるいは放送サービス管理サーバ２００内に配置することができる。
【００４０】
図３は、一実施形態によるクライアント１００の一例であるクライアント装置１００ａを示す。図３を参照すれば、クライアント装置１００ａは、制御部１１０、メモリ１２０、通信部１３０、感知部１４０、表示部１５０を含む。
【００４１】
メモリ１２０は、制御部１１０の制御により、クライアント１００ａを駆動して制御するための多様なデータ、プログラムまたはアプリケーションを保存することができる。メモリ１２０は、不揮発性メモリ、揮発性メモリ、ハードディスクドライブ（ＨＤＤ）またはソリッドステートドライブ（ＳＳＤ）を含んでもよい。
【００４２】
通信部１３０は、放送サービス管理サーバ２００及び１以上の放送事業者サーバ３００との通信を行う。通信部１３０は、クライアント１００の性能及び構造に対応し、無線ＬＡＮ、ブルートゥース（登録商標（Bluetooth））及び有線イーサネット（登録商標（Ethernet））のうち一つ、及びその組み合わせを含んでもよい。通信部１３０は、またユーザ入力によってチャネル番号に対応する周波数帯域で放送信号を受信するチューナを含んでもよい。
【００４３】
感知部１４０は、ユーザの音声、ユーザの映像、またはユーザのインタラクションを感知し、マイク、カメラ、光受信部を含んでもよい。該光受信部は、外部の制御装置から受信される光信号（制御信号を含む）を受信することができる。
【００４４】
表示部１５０は、通信部１３０を介して受信された放送コンテンツを表示するか、あるいはユーザ選択を受信するための１以上のユーザインターフェースを表示することができる。１以上のユーザインターフェースは、放送事業者選択のためのユーザインターフェース、放送事業者のコンテンツ政策の選択のためのユーザインターフェース、放送サービス管理サーバ２００に提供する多様なメニューインターフェースを含んでもよい。
【００４５】
制御部１１０は、１以上のプロセッサを含み、クライアント装置１００ａ内部の構成要素間の信号フローを制御し、データを処理する機能を遂行する。
【００４６】
一実施形態により、制御部１１０は、クライアント装置１００ａの位置を識別することができる情報を、ネットワークを介して、放送サービス管理サーバ２００に伝送したことに応答し、放送サービス管理サーバ２００から、クライアント装置１００ａが利用可能な１以上の放送事業者に係わる識別情報を受信し、受信した１以上の放送事業者に係わる識別情報を含むユーザインターフェースを表示し、ユーザインターフェースを介して、１以上の放送事業者に係わる識別情報から１つの放送事業者を選択したユーザ入力を受信し、受信されたユーザ入力に応答し、選択された放送事業者サーバに接続し、前記放送事業者サーバから限定受信システムソフトウェアを受信して保存することができる。
【００４７】
一実施形態により、制御部１１０は、ユーザ入力によって選択された放送事業者サーバに接続し、放送事業者サーバから、１以上のコンテンツ提供政策を受信したことに応答し、受信された１以上のコンテンツ提供政策を含むユーザインターフェースを表示し、ユーザインターフェースを介して、１以上のコンテンツ提供政策のうちから選択された１つのコンテンツ提供政策を、放送事業者サーバに伝送し、放送事業者サーバから選択されたコンテンツ提供政策に対応する限定受信システムソフトウェアを受信して保存することができる。
【００４８】
一実施形態により、制御部１１０は、さらに１つの放送事業者を選択するユーザ入力を受信し、受信されたユーザ入力に応答し、選択されたさらに１つの放送事業者サーバに接続し、さらに１つの放送事業者サーバから、さらに１つの限定受信システムソフトウェアを受信して保存することができる。
【００４９】
一実施形態により、制御部１１０は、さらに１つの限定受信システムソフトウェアを保存するとき、既保存の限定受信システムソフトウェアを除去することができる。
【００５０】
一実施形態により、制御部１１０は、さらに１つの限定受信システムソフトウェアを保存するとき、既保存の限定受信システムソフトウェアの除去なしに、共に保存することができる。
【００５１】
一実施形態により、制御部１１０は、ユーザの放送事業者選択により、前記保存された限定受信システムソフトウェアと、前記さらに１つの限定受信システムソフトウェアとのうち一つをイネーブルさせて使用することができる。
【００５２】
図４は、一実施形態によるクライアント１００の一例であるクライアント装置１００ｂを示す。図４を参照すれば、クライアント装置１００ｂは、ＲＦチューナ／復調器４１０、ＤＯＣＳＩＳケーブルモデム４２０、制御部４３０、保安モジュール４４０、伝送ストリームプロセッサ４５０、マルチメディアプロセッサ４６０を含む。
【００５３】
ＲＦチューナ／復調器４１０は、ケーブルネットワークを介して受信された放送信号を、ベースバンド信号変換過程及び復調過程を経て、スクラブリングされたＡ／Ｖデータに変換する。
【００５４】
ＤＯＣＳＩＳケーブルモデム４２０は、双方向通信チャネルを介して、ダウンロード可能な限定受信システムプロトコルを基に、相互認証及び暗号キー共有の過程を遂行し、限定受信システムソフトウェアを安全にダウンロードする。
【００５５】
保安モジュール４４０は、クライアント装置１００ｂ内部に内蔵される保安チップであり、放送事業者サーバと加入者装置とに対する相互認証、ダウンロード可能な限定受信システムプロトコル、限定受信システムクライアントダウンロードなどを支援する保安モジュール用ファームウエア、及びダウンロードしたクライアントプログラムを、保安上安全に保存して駆動することができる環境を提供する。
【００５６】
保安モジュール４４０は、ダウンロード可能な限定受信システムプロトコルを基に、相互認証を介して、放送事業者サーバと安定した通信チャネルを形成し、それを介して、ダウンロードした制限受信ソフトウェアを保安領域４４１に安全に保存する。そのために、保安モジュール４４０は、放送事業者サーバとの相互認証、及び暗号化キー共有処理のための暗号化アルゴリズムを支援する。また、保安モジュール４４０内で運用中であるブートローダ４４３及び制限受信ソフトウェア４４１を、外部の物理的ハッキングから保護するためのさまざまな保安機能を含む。
【００５７】
一実施形態により、保安領域４４１は、１以上の制限受信ソフトウェアをダウンロードして保存することができる。
【００５８】
一実施形態により、保安領域４４１は、制御部４３０の制御により、１以上の放送事業者に対応する１以上の限定受信システムソフトウェアをダウンロードして保存することができる。
【００５９】
一実施形態により、保安領域４４１は、制御部４３０の制御によって保存された１以上の限定受信システムソフトウェアのうち一部をイネーブルさせるか、一部をディセーブルさせるか、あるいは除去することができる。
【００６０】
ブートローダ４４３は、保安領域４４１に保存された複数の制限受信ソフトウェアのうち一つを、メモリ４４２にローディングして駆動する。
【００６１】
伝送ストリームプロセッサ４５０は、入力される放送信号のスクランブルいかんと、加入者の視聴権限とにより、当該信号をデスクランブルする機能を担当する。伝送ストリームプロセッサ４５０は、複数の限定受信システムを支援するように、複数のアルゴリズムに対応するデスクランブリングエンジンを含んでもよい。例えば、ＭＰＥＧ−２ＴＳ、ＤＶＢ−ＣＳＡ、ＡＥＳ（Advanced  Encryption  Standard）−１２８、ＤＥＳ（Data  Encryption  Standard）、３−ＤＥＳ、ＣＳＡ（Common  Scrambling  Algorithm）などのアルゴリズムがあり、放送サービス事業者が望む特定の限定受信システムを自由に選択することができるように、再設定可能な構造を有している。伝送ストリームプロセッサ４５０は、保安モジュール４４０で駆動される限定受信システムクライアントから、デスクランブリングに必要なキー情報、制御ワード（control  word）及び暗号化アルゴリズム情報などを入力され、それを利用し、スクランブルされた信号をデスクランブリングすることができる。
【００６２】
マルチメディアプロセッサ４６０は、伝送ストリームプロセッサ４５０から受信された信号を、適切なデコーダ、例えば、ＭＰＥＧデコーダを利用し、Ａ／Ｖ信号に変換して出力する。
【００６３】
制御部４３０は、クライアント装置１００ｂ内の構成要素を全般的に制御する。
【００６４】
一実施形態により、制御部４３０は、ユーザ入力に基づいて、１以上の放送事業者に対応する限定受信システムソフトウェアを保存するように、保安領域４４１を制御することができる。
【００６５】
一実施形態により、制御部４３０は、ユーザ入力に基づいて、保安領域４４１に保存された１以上の限定受信システムソフトウェアのうち一部をイネーブルさせるか、ディセーブルさせるか、あるいは除去するように、保安領域４４１を制御することができる。
【００６６】
図４に図示された構成は、限定受信システムソフトウェアを保存する処理観点からのクライアントのブロックであり、図４に図示された構成は、図３に図示された構成と、機能上同一構成は、対応するものである。
【００６７】
図５は、一実施形態による、放送サービス提供システムでの動作の一例について説明するフローチャートである。図５を参照すれば、動作５１０において、クライアント１００は、クライアントの位置識別情報を、放送サービス管理サーバ２００に伝送することができる。クライアント１００が設置された地域により、クライアント１００が利用することができる放送事業者が異なるために、クライアントの位置識別情報を提供することが望ましい。例えば、Ａ地域においては、第１放送事業者ないし第５放送事業者が放送サービスを提供する一方、Ｂ地域においては、第３放送事業者ないし第６放送事業者が放送サービスを提供するというように、各地域ごとに、サービス提供放送事業者が異なる。
【００６８】
一実施形態により、クライアント１００は、クライアント１００の初期化時、ユーザが入力した地域情報、またはクライアント１００に設定されたＩＰ情報のようなクライアント１００の位置を識別することができる情報を、放送サービス管理サーバ２００に伝送することができる。
【００６９】
例えば、クライアント１００は、クライアント１００の初期化時、図６に図示されているようなユーザインターフェース６００を提供し、ユーザが、＜放送サービス管理サーバに接続しますか＞というアイテム６１０に応答し、＜確認＞アイテム６２０を選択する場合、クライアント１００は、放送サービス管理サーバ２００に接続すると共に、放送サービス管理サーバ２００に、クライアント１００の位置を識別することができる情報を、放送サービス管理サーバ２００に伝送することができる。
【００７０】
動作５２０において、放送サービス管理サーバ２００は、クライアント１００に、クライアント１００が利用可能な放送事業者識別情報５２０を伝送することができる。
【００７１】
放送サービス管理サーバ２００は、クライアント１００から受信したクライアント１００の位置識別情報を基に、クライアント１００が利用することができる１以上の放送事業者識別情報を検索して見つけられた１以上の放送事業者識別情報を、クライアント１００に伝送することができる。該放送事業者識別情報は、放送事業者を識別することができる情報であるならば、いかなる形態でも可能である。例えば、該放送事業者識別情報は、放送事業者のＵＲＬを含んでもよい。
【００７２】
動作５３０において、クライアント１００は、放送サービス管理サーバ２００から、１以上の放送事業者識別情報を受信し、１以上の放送事業者のうち１つの放送事業者を選択する。
【００７３】
例えば、クライアント１００は、放送事業者管理サーバ２００から、１以上の放送事業者識別情報を受信すれば、図７に図示されているようなユーザインターフェース７００を提供し、＜放送事業者を選んでください＞というアイテム７１０と共に、放送事業者識別情報アイテム７２０ないし７５０を出力することができる。ユーザは、ユーザインターフェース７００に表示された第１放送事業者アイテム７２０ないし第４放送事業者アイテム７５０のうち１つの放送事業者アイテムを選択することができる。
【００７４】
動作５４０において、クライアント１００は、ユーザによって選択された放送事業者サーバに限定受信システムソフトウェアを要請することができる。例えば、ユーザが第１放送事業者を選択した場合、クライアント１００は、第１放送事業者サーバ３００ａに、第１放送事業者サーバが運用する第１限定受信システムソフトウェアを要請することができる。
【００７５】
動作５５０において、第１放送事業者サーバ３００ａは、第１限定受信システムソフトウェアをクライアント１００に伝送し、クライアント１００は、第１限定受信システムソフトウェアを受信することができる。
【００７６】
動作５６０において、クライアント１００は、第１放送事業者サーバ３００ａから受信した第１限定受信システムソフトウェアを、クライアント１００内部の保安チップの保安領域４４１に安全に保存することができる。図５の動作５４０ないし動作５６０の遂行のために、クライアント１００と第１放送事業者サーバ３００ａは、ダウンロード可能な限定受信システムプロトコルを基に、相互認証を介して、放送事業者サーバと安定した通信チャネルを形成し、それを介して、限定受信システムソフトウェアを安全にダウンロードすることができる。
【００７７】
動作５７０において、クライアント１００は、第２放送事業者をさらに選択することができる。
【００７８】
動作５８０において、クライアント１００は、ユーザによって選択された第２放送事業者サーバ３００ｂに、第２放送事業者サーバが運用する第２限定受信システムソフトウェアを要請することができる。
【００７９】
動作５９０において、第２放送事業者サーバ３００ｂは、第２限定受信システムソフトウェアをクライアント１００に伝送すれば、クライアント１００は、第２限定受信システムソフトウェアを受信することができる。
【００８０】
動作５９５において、クライアント１００は、第２放送事業者サーバ３００ｂから受信した第２限定受信システムソフトウェアを、クライアント１００の保安領域に安全に保存することができる。図５の動作５８０ないし動作５９５の遂行のために、クライアント１００と第２放送事業者サーバ３００ｂは、ダウンロード可能な限定受信システムプロトコルを基に、相互認証を介して、放送事業者サーバと安定した通信チャネルを形成し、それを介して、限定受信システムソフトウェアを安全にダウンロードすることができる。
【００８１】
一実施形態により、クライアント１００は、以前に保存しておいた第１限定受信システムソフトウェアを除去し、第２限定受信システムソフトウェアを保存することができる。
【００８２】
一実施形態により、クライアント１００は、以前に保存しておいた第１限定受信システムソフトウェアを除去せず、第１限定受信システムソフトウェアと共に、第２限定受信システムソフトウェアを保存することができる。
【００８３】
図８は、一実施形態による放送サービス提供システムでの動作の他例について説明するフローチャートである。図８を参照すれば、動作８０５において、クライアント１００は、認証キーを内蔵している。クライアント製造業者は、クライアント装置製造時、クライアント装置内部に認証キーを保存しておくことができる。
【００８４】
動作８１０において、クライアント１００、がクライアントの位置識別情報を放送サービス管理サーバ２００に伝送すれば、動作８１５において、放送サービス管理サーバ２００は、クライアント１００に利用可能な１以上の放送事業者識別情報を、クライアント１００に伝送することができる。
【００８５】
動作８２０において、クライアント１００のユーザが第１放送事業者を選択すれば、クライアント１００は、内蔵された認証キーを利用し、第１放送事業者サーバ３００ａで認証を要請することができる。
【００８６】
動作８３０において、認証要請を受信した第１放送事業者サーバ３００ａは、クライアント１００から受信した認証キーを利用し、放送サービス管理サーバ２００にクライアント１００の認証を要請し、認証を受信することができる。
【００８７】
動作８３５において、第１放送事業者サーバ３００ａは、認証結果、及び第１放送事業者サーバが提供する複数個のコンテンツ政策をクライアント１００に伝送することができる。
【００８８】
動作８４０において、クライアント１００は、第１放送事業者サーバ３００ａから複数個のコンテンツ政策を受信し、複数個のコンテンツ政策のうち１つの選択を受信するために、ユーザインターフェースを提供することができる。
【００８９】
例えば、クライアント１００は、図９に図示されているようなユーザインターフェース９００を提供し、＜第１放送事業者のコンテンツ政策選択＞というアイテム９１０と共に、第１コンテンツ政策９２０ないし第４コンテンツ政策９５０を表示することができる。ユーザは、ユーザインターフェース９００に表示された第１コンテンツ政策９１０ないし第４コンテンツ政策９５０のうち１つのコンテンツ政策を選択することができる。
【００９０】
動作８４５において、クライアント１００は、ユーザから、１つのコンテンツ政策選択を受信すれば、動作８５０において、クライアント１００は、選択されたコンテンツ政策に対応する第１限定受信システムソフトウェアを要請することができる。
【００９１】
動作８５５において、第１放送事業者サーバ３００ａは、クライアント１００から要請された第１限定受信システムソフトウェアを、クライアント１００に伝送することができる。
【００９２】
動作８６０において、クライアント１００は、受信された第１限定受信システムソフトウェアを安全な領域に保存することができる。
【００９３】
図１０は、一実施形態による放送サービス提供システムでの動作のさらに他の例について説明するフローチャートである。図１０を参照すれば、動作１００５において、クライアント１００は、クライアントの位置識別情報を、放送サービス管理サーバ２００に伝送することができる。
【００９４】
動作１０１０において、放送サービス管理サーバ２００は、クライアントに利用可能な１以上の放送事業者識別情報を、クライアント１００に伝送することができる。
【００９５】
動作１０１５において、クライアント１００のユーザが、１以上の放送事業者識別情報のうち１つの放送事業者を選択すれば、クライアント１００は、第１放送事業者が選択されたことを示す信号を、放送サービス管理サーバ２００に伝送することができる。
【００９６】
動作１０２５において、放送サービス管理サーバ２００は、クライアント１００の第１放送事業者選択信号を受信すれば、クライアント１００の認証キーを生成し、それをクライアント１００に伝送することができる。
【００９７】
動作１０３０において、放送サービス管理サーバ２００は、クライアント１００の認証のための認証キーを、さらに第１放送事業者サーバ３００ｂに伝送することができる。
【００９８】
動作１０３５において、クライアント１００は、放送サービス管理サーバ２００から受信した認証キーを利用し、第１放送事業者サーバ３００ａに認証を要請することができる。
【００９９】
動作１０４０において、クライアント１００から引用要請を受信した第１放送事業者サーバ３００ａは、クライアント１００から受信した認証キー、及び放送サービス管理サーバ２００から受信した認証キーを利用し、クライアント１００を認証し、認証結果、及び複数のコンテンツ政策をクライアント１００に伝送することができる。
【０１００】
動作１０４５において、クライアント１００は、第１放送事業者サーバ３００ａから複数個のコンテンツ政策を受信し、複数個のコンテンツ政策のうち１つの選択を受信するために、ユーザインターフェースを提供することができる。
【０１０１】
動作１０５０において、クライアント１００は、ユーザから、１つのコンテンツ政策選択を受信すれば、動作１０５５において、クライアント１００は、選択されたコンテンツ政策に対応する第１限定受信システムソフトウェアを要請することができる。
【０１０２】
動作１０６０において、第１放送事業者サーバ３００ａは、クライアント１００から要請された第１限定受信システムソフトウェアを、クライアント１００に伝送することができる。
【０１０３】
動作１０６５において、クライアント１００は、受信された第１限定受信システムソフトウェアを安全な領域に保存することができる。
【０１０４】
一実施形態により、図５と係わって説明したように、クライアント１００のユーザは、複数の放送事業者を選択し、複数の放送事業者それぞれに対応する限定受信システムソフトウェアを、クライアント１００にダウンロードしておくことができる。
【０１０５】
一実施形態により、クライアント１００のユーザは、クライアント１００にダウンロードされた複数の限定受信システムソフトウェアのうち１以上の限定受信システムソフトウェアをイネーブルさせ、１以上の放送事業者からのコンテンツを提供される。図１１は、一実施形態により、複数の放送事業者選択のためのユーザインターフェースの一例である。
【０１０６】
図１１を参照すれば、クライアント１００は、クライアント１００の安全な領域に保存された複数の限定受信システムソフトウェアに対応する複数の放送事業者選択のためのユーザインターフェース１１００を表示することができる。
【０１０７】
ユーザインターフェース１１００は、＜複数の放送事業者選択＞アイテム１１１０と共に、第１放送事業者アイテム１１２０ないし第４放送事業者アイテム１１５０を表示することができる。ユーザから、例えば、第１放送事業者アイテム１１２０と第２放送事業者アイテム１１３０とを選択する入力を受信すれば、クライアント１００は、クライアント１００内部に保存された複数個の放送事業者に対応する限定受信システムソフトウェアのうち、第１放送事業者に対応する限定受信システムソフトウェアと、第２放送事業者に対応する限定受信システムソフトウェアとをイネーブルさせることができる。
【０１０８】
そのように、クライアント１００において、１以上の限定受信システムソフトウェアをイネーブルさせることにより、ユーザは、１つの放送事業者が提供するコンテンツだけ提供されるものではなく、複数の放送事業者からのコンテンツを提供される。例えば、ユーザは、図１１に図示されているように、第１放送事業者と第２放送事業者とを選択した場合、第１放送事業者のコンテンツ、及び第２放送事業者のコンテンツをいずれも提供される。
【０１０９】
図１２は、一実施形態による、放送サービス管理サーバで遂行される課金処理動作の一例を示す。図１２を参照すれば、動作１２０５において、クライアント１００は、第１放送事業者サーバの第１限定受信システムソフトウェアを保存し、動作１２１０において、第２放送事業者サーバの第２限定受信システムソフトウェアを保存することができる。
【０１１０】
動作１２１５において、クライアント１００は、コンテンツ選択のために、放送サービス管理サーバ２００に接続することができる。すなわち、クライアント１００は、放送サービス管理サーバ２００に接続すれば、放送サービス管理サーバ２００は、コンテンツ選択のためのウェブページなどを、クライアント１００に提供することができる。
【０１１１】
動作１２２０において、クライアント１００のユーザは、第１放送事業者／第１コンテンツを選択することができる。
【０１１２】
例えば、クライアント１００のディスプレイは、図１３に図示されているようなユーザインターフェース１３００がディスプレイされる。図１３を参照すれば、ユーザインターフェース１３００は、＜放送事業者を選んでください＞アイテム１３１０と共に、複数の放送事業者アイテム、すなわち、第１放送事業者アイテム１３２０及び第２放送事業者アイテム１３３０を表示することができる。ユーザインターフェース１３００に表示される放送事業者アイテムは、ユーザがイネーブルさせた限定受信システムソフトウェアに対応する放送事業者にもなる。例えば、ユーザが、クライアント１００でイネーブルさせた限定受信システムソフトウェアに対応する放送事業者情報は、放送サービス管理サーバ２００にも提供される。放送サービス管理サーバ２００は、クライアント１００から受信された、イネーブルされた１以上の限定受信システムソフトウェアに対応する１以上の放送事業者情報を、クライアント１００に提供することができる。
【０１１３】
ユーザが、図１３に図示されたユーザインターフェースにおいて、例えば、第１放送事業者アイテム１３２０を選択し、その選択信号を放送サービス管理サーバ２００に伝送したことに応答し、放送サービス管理サーバ２００は、図１４に図示されているようなページを伝送することができる。すなわち、クライアント１００は、第１放送事業者のコンテンツリストのうち一つを選択させるユーザインターフェース１４００を表示することができる。ユーザインターフェース１４００は、第１放送事業者コンテンツリストアイテム１４１０と共に、第１コンテンツアイテム１４２０ないし第６コンテンツアイテム１４７０を表示することができる。
【０１１４】
図１４に図示されたユーザインターフェース１４００において、ユーザが第１コンテンツアイテム１４２０を選択したことを示す信号をクライアント１００から受信した放送サービス管理サーバ２００は、動作１２２５において、ユーザによって要請された第１コンテンツをクライアント１００に伝送するように、第１放送事業者サーバ３００ａに要請することができる。
【０１１５】
動作１２３０において、放送サービス管理サーバ２００は、第１放送事業者３００ａの第１コンテンツアイテムに係わる課金情報を収集することができる。
【０１１６】
動作１２３５において、第１放送事業者サーバ３００ａは、要請された第１コンテンツをクライアント１００に伝送することができる。
【０１１７】
動作１２４０において、同様に、クライアント１００は、第２放送事業者が提供する第２コンテンツを選択する信号を、放送サービス管理サーバ２００に伝送することができる。
【０１１８】
動作１２４５において、放送サービス管理サーバ２００は、ユーザによって要請された第２コンテンツをクライアント１００に伝送するように、第２放送事業者サーバ３００ｂに要請することができる。
【０１１９】
動作１２５０において、放送サービス管理サーバ２００は、第２放送事業者３００ｂの第２コンテンツアイテムに係わる課金情報を収集することができる。複数の放送事業者のうち各放送事業者ごとに、また複数のコンテンツにおいて、各コンテンツ利用時に賦課される金額は、異なる。
【０１２０】
動作１２５５において、第２放送事業者サーバ３００ｂは、要請された第２コンテンツをクライアント１００に伝送することができる。
【０１２１】
動作１２６０において、放送サービス管理サーバ２００は、収集した課金情報を総合し、クライアント１００と課金処理を進めることができる。例えば、クライアント１００が消費したコンテンツ、すなわち、第１放送事業者の第１コンテンツの金額が１，０００ウォンであり、第２放送事業者の第２コンテンツの金額が２，０００ウォンであるならば、放送サービス管理サーバ２００は、クライアント１００に賦課する最終金額を３，０００ウォンに決定することができる。放送サービス管理サーバ２００は、最終金額３，０００ウォンに対する費用処理を、クライアント１００と進めることができる。
【０１２２】
例えば、放送サービス管理サーバ２００は、図１５に図示されているように、各ユーザに対して、各ユーザが利用した放送事業者のコンテンツ別に課金情報を生成することができる。例えば、図１５を参照すれば、ユーザＡは、第１放送事業者、第２放送事業者、第３放送事業者からのコンテンツを利用し、それに係わる総額を、ユーザＡに課金することができる。ユーザＢは、第１放送事業者と第２放送事業者とからのコンテンツを利用し、それに係わる総額を、ユーザＢに課金することができる。ユーザＣは、第３放送事業者からのコンテンツを利用し、それに係わる総額を、ユーザＣに課金することができる。
【０１２３】
動作１２６５及び動作１２７０において、放送サービス管理サーバ２００は、第１放送事業者サーバ３００ａの第１コンテンツ利用金額、及び第２放送事業者サーバ３００ｂの第２コンテンツ利用金額に係わる費用を精算することができる。
【０１２４】
放送サービス管理サーバは、放送事業者サーバを利用し、放送事業者のコンテンツをユーザに提供するだけではなく、広告サーバを利用し、広告をユーザに提供することができる。放送サービス管理サーバは、広告サーバの広告を提供することにより、ユーザをして、広告を視聴させる代わりに、広告時、視聴対価として、コンテンツ利用金額を削減しすることができる。そのように、コンテンツ消費に広告を引き入れることにより、アドバタイザには、より多くのユーザに広告を提供することができ、ユーザは、さらに低廉な費用でコンテンツを利用することができる。放送事業者には、また広告を介して、さらに多くのコンテンツを利用させることにより、コンテンツ消費を増大させるように誘導することができる。
【０１２５】
図１６は、一実施形態による、放送サービス管理サーバで遂行される課金処理動作の他例を示す。図１６に図示された動作は、図１２に図示された動作と類似しており、ただ、広告サーバからの広告をユーザに提供し、そのような広告視聴情報を課金情報収集に利用する動作１6５６ないし動作１6５8をさらに含むところが異なる。
【０１２６】
動作１６５６を参照すれば、クライアント１００は、放送サービス管理サーバ２００に接続し、広告視聴を選択することができる。
【０１２７】
動作１６５７において、放送サービス管理サーバ２００は、ユーザによって選択された広告を提供する広告サーバ３５０において、クライアント１００に広告を提供することを要請することができる。
【０１２８】
動作１６５８において、広告サーバ３５０は、クライアント１００に要請された広告を伝送することができる。
【０１２９】
動作１６５９において、放送サービス管理サーバ２００は、クライアント１００の課金情報を収集するとき、クライアント１００の広告視聴に対するリウォードを勘案し、課金情報を生成することができる。例えば、ユーザが広告を視聴する対価として、広告視聴に対応する金額ほどユーザに賦課するコンテンツ利用金額から差し引くことができる。一実施形態による、広告の視聴時間ほど、リウォードは、増大する。または、複数の広告があれば、各広告ごとに、リウォードが異なるようにも策定される。
【０１３０】
例えば、ユーザは、総合して３万ウォンほどのコンテンツを利用し、５千ウォンほどの広告を視聴したとき、放送サービス管理サーバ２００は、２万５千ウォンをユーザにコンテンツ利用金額として賦課することができる。
【０１３１】
図１７を参照すれば、ユーザＡが利用した第１放送事業者のコンテンツ利用金額＋第２放送事業者のコンテンツ利用金額＋第３放送事業者のコンテンツ利用金額−広告視聴に対応するリウォード金額でもって、ユーザＡに対する総コンテンツ利用料が決定される。他のユーザについても、同様である。
【０１３２】
図１８は、一実施形態により、クライアントにおいて、複数の放送事業者を管理させるユーザインターフェースの一例を示す。図１８を参照すれば、ユーザインターフェース１８００は、放送事業者リスト表示アイテム１８１０、新たな放送事業者ダウンロードアイテム１８２０、選択された放送事業者イネーブルアイテム１８３０、選択された放送事業者ディセーブルアイテム１８４０、選択された放送事業者削除アイテム１８５０を含んでもよい。
【０１３３】
放送事業者リスト表示アイテム１８１０を選択するユーザ入力に応答し、クライアント１００は、ディスプレイにクライアント１００に保存された１以上の限定受信システムソフトウェアに対応する１以上の放送事業者リスト１８６０を表示することができる。
【０１３４】
新たな放送事業者ダウンロードアイテム１８２０を選択するユーザ入力に応答し、クライアント１００は、図７に図示されているように、放送事業者を選択させるユーザインターフェース７００を出力することができる。
【０１３５】
選択された放送事業者イネーブルアイテム１８３０を選択するユーザ入力に応答し、クライアント１００は、クライアント１００に保存された複数の限定受信システムソフトウェアのうち１以上をイネーブルさせることができる。例えば、放送事業者リストに表示された複数の放送事業者のうち１以上をチェックし、放送事業者イネーブルアイテム１８３０を選択するユーザ入力により、クライアント１００は、チェックされた放送事業者に対応する限定受信システムソフトウェアをイネーブルさせることができる。
【０１３６】
選択された放送事業者ディセーブルアイテム１８４０を選択するユーザ入力に応答し、クライアント１００は、クライアント１００に保存された複数の限定受信システムソフトウェアのうち１以上をディセーブルさせる。
【０１３７】
選択された放送事業者削除アイテム１８５０を選択するユーザ入力に応答し、クライアント１００は、クライアント１００に保存された複数の限定受信システムソフトウェアのうちから選択された放送事業者に対応する限定受信システムソフトウェアを保安モジュールから除去することができる。
【０１３８】
一実施形態による電子装置の動作方法は、多様なコンピュータ手段を介しても遂行されるプログラム命令形態に具現され、コンピュータ可読媒体にも記録される。前記コンピュータ可読媒体は、プログラム命令、データファイル、データ構造などを、単独または組み合わせて含んでもよい。前記媒体に記録されるプログラム命令は、本発明のために特別に設計されて構成されたものでもあり、コンピュータソフトウェア当業者に公知されて使用可能なものでもある。該コンピュータ可読記録媒体の例には、ハードディスク、フロッピーディスク及び磁気テープのような磁気媒体（magnetic  media）；ＣＤ−ＲＯＭ、ＤＶＤのような光記録媒体（optical  media）；フロプティカルディスク（floptical  disk）のような磁気・光媒体（magneto-optical  media）、及びＲＯＭ（read-only  memory）、ＲＡＭ（random  access  memory）、フラッシュメモリのようなプログラム命令を保存して遂行するように特別に構成されたハードウェア装置が含まれる。プログラム命令の例には、コンパイラによって作われるような機械語コードだけではなく、インタープリタなどを使用し、コンピュータによって実行される高級言語コードを含む。
【０１３９】
以上、実施形態について詳細に説明したが、本発明の権利範囲は、それらに限定されるものではなく、特許請求の範囲で定義している本発明の基本概念を利用した当業者の多くの変形、及び改良形態も、本発明の権利範囲に属する。
【図１】
2019537881.tif 000003
【図２】
2019537881.tif 000004
【図３】
2019537881.tif 000005
【図４】
2019537881.tif 000006
【図５】
2019537881.tif 000007
【図６】
2019537881.tif 000008
【図７】
2019537881.tif 000009
【図８】
2019537881.tif 000010
【図９】
2019537881.tif 000011
【図１０】
2019537881.tif 000012
【図１１】
2019537881.tif 000013
【図１２】
2019537881.tif 000014
【図１３】
2019537881.tif 000015
【図１４】
2019537881.tif 000016
【図１５】
2019537881.tif 000017
【図１６】
2019537881.tif 000018
【図１７】
2019537881.tif 000019
【図１８】
2019537881.tif 000020
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
電子装置において、
通信部と、
１以上のインストラクションを保存するメモリと、
前記メモリに保存された前記１以上のインストラクションを実行するプロセッサと、を含み、
前記プロセッサは、前記１以上のインストラクションを実行することにより、
前記電子装置の位置を識別することができる情報を、ネットワークを介して、放送サービス管理サーバに伝送したことに応答し、前記放送サービス管理サーバから、前記電子装置が利用可能な１以上の放送事業者に係わる識別情報を受信し、
前記受信した１以上の放送事業者に係わる識別情報を含むユーザインターフェースを表示し、前記ユーザインターフェースを介して、前記１以上の放送事業者に係わる識別情報から１つの放送事業者を選択したユーザ入力を受信し、
前記受信されたユーザ入力に応答し、前記選択された放送事業者サーバに接続し、前記放送事業者サーバから限定受信システムソフトウェアを受信して保存する電子装置。
【請求項２】
前記プロセッサは、前記１以上のインストラクションを実行することにより、
前記ユーザ入力によって選択された前記放送事業者サーバに接続し、
前記放送事業者サーバから、１以上のコンテンツ提供政策を受信したことに応答し、前記受信された１以上のコンテンツ提供政策を含むユーザインターフェースを表示し、
前記ユーザインターフェースを介して、前記１以上のコンテンツ提供政策のうちから選択された１つのコンテンツ提供政策を、前記放送事業者サーバに伝送し、
前記放送事業者サーバから、前記選択されたコンテンツ提供政策に対応する前記限定受信システムソフトウェアを受信して保存することを特徴とする請求項１に記載の電子装置。
【請求項３】
前記プロセッサは、前記１以上のインストラクションを実行することにより、
さらに１つの放送事業者を選択するユーザ入力を受信し、
前記受信されたユーザ入力に応答し、前記選択されたさらに１つの放送事業者サーバに接続し、前記さらに１つの放送事業者サーバから、さらに１つの限定受信システムソフトウェアを受信して保存することを特徴とする請求項１に記載の電子装置。
【請求項４】
前記プロセッサは、前記１以上のインストラクションを実行することにより、
前記さらに１つの限定受信システムソフトウェアを保存するとき、既保存の限定受信システムソフトウェアを除去することを特徴とする請求項３に記載の電子装置。
【請求項５】
前記プロセッサは、前記１以上のインストラクションを実行することにより、
前記さらに１つの限定受信システムソフトウェアを保存するとき、既保存の限定受信システムソフトウェアの除去なしに、共に保存することを特徴とする請求項３に記載の電子装置。
【請求項６】
前記プロセッサは、前記１以上のインストラクションを実行することにより、
ユーザの放送事業者選択により、前記保存された限定受信システムソフトウェアと、前記さらに１つの限定受信システムソフトウェアとのうち一つをイネーブルさせて使用することを特徴とする請求項５に記載の電子装置。
【請求項７】
放送サービスを提供するシステムにおいて、
クライアント装置の位置に対応し、前記クライアント装置が利用可能な１以上の放送事業者に係わる識別情報を、前記クライアント装置に提供し、前記１以上の放送事業者のうち１つの放送事業者を選択するユーザ入力に対応し、前記選択された放送事業者に係わる情報を、前記クライアント装置に提供する放送サービス管理サーバと、
前記サーバ装置から受信した放送事業者情報を利用して放送事業者サーバに要請し、前記放送事業者サーバから限定受信システムソフトウェアを受信して保存するクライアント装置と、
前記クライアント装置の要請により、前記クライアント装置に前記限定受信システムソフトウェアを提供する１以上の放送事業者サーバと、を含むシステム。
【請求項８】
電子装置の動作方法において、
前記電子装置の位置を識別することができる情報を、ネットワークを介して、放送サービス管理サーバに伝送したことに応答し、前記放送サービス管理サーバから、前記電子装置が利用可能な１以上の放送事業者に係わる識別情報を受信する動作と、
前記受信した１以上の放送事業者に係わる識別情報を含むユーザインターフェースを表示し、前記ユーザインターフェースを介して、前記１以上の放送事業者に係わる識別情報から１つの放送事業者を選択したユーザ入力を受信する動作と、
前記受信されたユーザ入力に応答し、前記選択された放送事業者サーバに接続し、前記放送事業者サーバから限定受信システムソフトウェアを受信して保存する動作と、を含む電子装置の動作方法。
【請求項９】
前記ユーザ入力によって選択された前記放送事業者サーバに接続する動作と、
前記放送事業者サーバから、１以上のコンテンツ提供政策を受信したことに応答し、前記受信された１以上のコンテンツ提供政策を含むユーザインターフェースを表示する動作と、
前記ユーザインターフェースを介して、前記１以上のコンテンツ提供政策のうちから選択された１つのコンテンツ提供政策を、前記放送事業者サーバに伝送する動作と、
前記放送事業者サーバから、前記選択されたコンテンツ提供政策に対応する前記限定受信システムソフトウェアを受信して保存する動作と、をさらに含むことを特徴とする請求項８に記載の電子装置の動作方法。
【請求項１０】
さらに１つの放送事業者を選択するユーザ入力を受信する動作と、
前記受信されたユーザ入力に応答し、前記選択されたさらに１つの放送事業者サーバに接続する動作と、
前記さらに１つの放送事業者サーバから、さらに１つの限定受信システムソフトウェアを受信して保存する動作と、を含むことを特徴とする請求項８に記載の電子装置の動作方法。
【請求項１１】
前記さらに１つの限定受信システムソフトウェアを保存するとき、既保存の限定受信システムソフトウェアを除去する動作をさらに含むことを特徴とする請求項１０に記載の電子装置の動作方法。
【請求項１２】
前記さらに１つの限定受信システムソフトウェアを保存するとき、既保存の限定受信システムソフトウェアの除去なしに、共に保存する動作をさらに含むことを特徴とする請求項１０に記載の電子装置の動作方法。
【請求項１３】
ユーザの放送事業者選択により、前記保存された限定受信システムソフトウェアと、前記さらに１つの限定受信システムソフトウェアとのうち一つをイネーブルさせて使用する動作をさらに含むことを特徴とする請求項１２に記載の電子装置の動作方法。
【請求項１４】
請求項８に記載の電子装置の動作方法を実行するコンピュータプログラムが記録されたコンピュータ可読記録媒体。
【国際調査報告】
2019537881.tif 000021
2019537881.tif 000022
2019537881.tif 000023
2019537881.tif 000024